(57)【特許請求の範囲】
【請求項１】
ユーザーの輝度調整の入力を受け付ける輝度調整手段と、
ＲＧＢ信号からなるオンスクリーン映像信号と、オンスクリーン表示の場合にはオンスクリーン切替信号とを出力するオンスクリーン信号作成手段と、
ＲＧＢ信号に変換された入力映像信号と前記オンスクリーン映像信号が入力され、前記オンスクリーン切替信号が入力された場合には前記オンスクリーン映像信号を出力し、前記オンスクリーン切替信号が入力されていない場合には前記ＲＧＢ信号に変換された入力映像信号を出力するＲＧＢ切換手段と、
前記輝度調整手段が受け付けた輝度調整の入力に基づき、ドライブ制御をするドライブ制御手段と、
前記輝度調整手段が受け付けた輝度調整の入力に基づき、カットオフ制御をするカットオフ制御手段と、
を備え、
前記オンスクリーン信号作成手段から、前記オンスクリーン切替信号が出力されており、且つ、オーバースキャン領域をオンスクリーン表示する場合に、前記ドライブ制御手段及びカットオフ制御手段は、ブランキング制御をすることを特徴とする、テレビジョン受信機。
【請求項２】
ユーザーの輝度調整の入力を受け付ける輝度調整手段と、
ＲＧＢ信号からなるオンスクリーン映像信号と、オンスクリーン表示の場合にはオンスクリーン切替信号と、とを出力するオンスクリーン信号作成手段と、
ＲＧＢ信号に変換された入力映像信号と前記オンスクリーン映像信号が入力され、前記オンスクリーン切替信号が入力された場合には、前記オンスクリーン映像信号を出力し、前記オンスクリーン切替信号が入力されていない場合には、前記ＲＧＢ信号に変換された入力映像信号を出力するＲＧＢ切換手段と、
前記輝度調整手段が受け付けた輝度調整の入力に基づき、ドライブ制御をするドライブ制御手段と、
前記輝度調整手段が受け付けた輝度調整の入力に基づき、カットオフ制御をするカットオフ制御手段と、
を備え、
前記ドライブ制御手段及びカットオフ制御手段は、
前記オンスクリーン信号作成手段から、前記オンスクリーン切替信号が出力され前記文字表示期間信号が出力されていない場合は、ブランキング制御をし、
前記オンスクリーン信号作成手段から、前記オンスクリーン切替信号が出力され前記文字表示期間信号が出力されている場合は、ブランキング制御を無効にすることを特徴とするテレビジョン受信機。
【発明の詳細な説明】
【０００１】
【発明の属する技術分野】
本発明は表示画面のアスペクト比とは異なるアスペクト比の映像信号を表示するテレビジョン受像機に関するものである。
【０００２】
【従来の技術】
従来テレビジョン受像機等の映像表示装置では、画面の横と縦の比率はＮＴＳＣ等の放送規格上４：３が主流であった。
しかしながら、近年、ハイビジョン放送などの普及に伴い、通常のテレビジョン受像機に於いても１６：９の横長のテレビジョン受像機が浸透してきた。これにより、ビデオカメラ、ＤＶＤプレーヤー等に於いても１６：９のアスペクト比の映像信号を出力する機器が普及している。
従来の４：３の画面のテレビジョン受像機に於いても、これらの１６：９の映像信号を正しいアスペクト比で表示する必要がある。
【０００３】
また、通常テレビジョン受像機では、映像信号のうち数％を画面で表示できる範囲外の上下左右にはみ出して映像信号の表示を行う、いわゆるオーバースキャンを行っている。
上記の４：３のアスペクト比のテレビジョン受像機で１６：９の映像信号を表示する場合、図５に示す様に垂直サイズを縮めてアスペクト比を正常に保ち表示を行う為、図５で示される斜線領域の本来オーバースキャンにより表示されない部分も表示されてしまうことになる。
この斜線領域をブランキングする事で、４：３のアスペクト比のテレビジョン受像機でも１６：９の横長のテレビジョン受像機と同様に１６：９のアスペクト比の映像信号を表示している。
【０００４】
図３に１６：９の映像信号を表示する機能を有した４：３のアスペクト比のテレビジョン受信機の構成を示す。３１はビデオ信号処理回路で入力された映像信号をＲＧＢ信号として出力するビデオ信号処理回路である。図に示すようにビデオ処理回路３１には、色復調回路、輝度調整回路、マトリックス回路、ＲＧＢ切換回路、ドライブ／カットオフ調整回路、同期分離回路が含まれている。３２はＲＧＢ信号をＣＲＴ３５に表示する為のＲＧＢドライブ回路である。３３はチャンネル番号等のオンスクリーン表示信号を作成する、オンスクリーン信号作成回路である。また、３４はビデオ信号処理回路から出力されるＨパルス、Ｖパルスからブランキング信号を作成するブランキング信号作成回路である。
４：３のアスペクト比のテレビジョン受像機で１６：９の映像信号を表示する場合、ブランキング信号作成回路３４にてＶパルスを基準としてＨパルスをカウントし、ブランキング信号を作成ししている。
【０００５】
また、特開平９−９３５４６号公報に上記の様なブランキング信号作成回路を簡略化する事を目的とする方法が示されている。この構成を図４に示す。
【０００６】
【発明が解決しようとする課題】
図４に示す構成では、映像信号処理回路４４が放送映像信号／オンスクリーン映像信号切換回路４７よりも前段にあるため、放送映像信号の輝度に関わらずオンスクリーン映像信号の輝度は常に一定になる。このため、放送映像信号の輝度を下げた場合には、オンスクリーン表示の輝度が相対的に高くなり、逆に放送映像信号の輝度を上げた場合では、オンスクリーン表示の輝度が相対的に低くなってしまう為、オンスクリーン表示の視認性が悪くなってしまう。
【０００７】
そこで、一般のテレビジョン受像機では図３のビデオ信号処理回路３１に示すように、映像信号とオンスクリーン表示信号を切換えるＲＧＢ切換の後段で、輝度調整を行っているが、このような構成で４：３の画面に１６：９の映像信号を表示する場合に特開平９−９３５４６に示される方法を用いて、図５の斜線領域にブランキングをかけた場合、斜線領域は輝度調整の影響を受けるため完全な黒レベルとならず、無画像領域との輝度レベルに差が生じてしまう。
【０００８】
本発明は前記課題に鑑みオンスクリーン切換信号を用いてブランキングをかける場合に於いて、ブランキング領域と無画像領域で輝度レベルの差を生じさせないようにするテレビジョン受像機を提供するものである。
【０００９】
【課題を解決するための手段】
この課題を解決するために本発明は、表示画面のアスペクト比とは異なる映像信号を表示する際に、オンスクリーン切換信号を用いて、映像信号の非表示部分をブランキングすることを特徴としたものである。
【００１０】
【発明の実施の形態】
本発明の請求項１に記載のテレビジョン受像機は、表示画面のアスペクト比とは異なる映像信号を表示する際に、オンスクリーン切換信号を用いて、映像信号の非表示部分をブランキングすることを特徴としたものであり、ブランキング領域と無画像領域で輝度レベルの差を生じさせないようにするものである。
【００１１】
本発明の請求項２に記載のテレビジョン受像機は、オンスクリーン表示信号及び、オンスクリーン切換信号を出力するオンスクリーン信号発生手段と、前記オンスクリーン切換信号により、前記オンスクリーン表示信号と映像信号を切り換え、出力する映像信号切り換え手段と、前記映像切り換え手段の出力映像信号を表示する表示手段と、前記オンスクリーン切換信号により、前記映像切り換え手段の出力映像信号のレベルを前記表示手段が表示しないレベルであるカットオフレベルにするブランキング手段を備えたものであり、ブランキング領域と無画像領域で輝度レベルの差を生じさせないようにするものである。
【００１２】
本発明の請求項３に記載のテレビジョン受像機は、表示画面のアスペクト比とは異なる映像信号を表示する際に、オンスクリーン切換信号と文字表示期間信号を用いて、映像信号の非表示部分をブランキングすることを特徴としたものであり、オンスクリーン切換信号によるブランキングとチャンネル表示などの文字表示を両立させ、且つ、ブランキング領域と無画像領域で輝度レベルの差を生じさせないようにするものである。
【００１３】
本発明の請求項４に記載のテレビジョン受像機は、オンスクリーン表示信号とオンスクリーン切換信号を出力すると共に、背景表示と文字表示を個別に設定が可能で、文字表示領域を示す文字表示期間信号を出力するオンスクリーン信号発生手段と、前記オンスクリーン切換信号により、前記オンスクリーン表示信号と映像信号を切り換え、出力する映像信号切り換え手段と、前記映像切り換え手段の出力映像信号を表示する表示手段と、前記オンスクリーン切換信号と前記文字表示期間信号からブランキング信号を作成するブランキング信号作成手段と、前記ブランキング信号作成手段から出力されたブランキング信号により、前記映像切り換え手段の出力映像信号のレベルを前記表示手段が表示しないレベルであるカットオフレベルにするブランキング手段を備えたものであり、オンスクリーン切換信号によるブランキングとチャンネル表示などの文字表示を両立させ、且つ、ブランキング領域と無画像領域で輝度レベルの差を生じさせないようにするものである。
【００１４】
（実施例１）
以下、本発明の請求項１および２に示すテレビジョン受像機の一実施例について図面を参照しながら説明する。
【００１５】
図２において２１はビデオ信号処理回路で入力された映像信号をＲＧＢ信号として出力するビデオ信号処理回路である。図に示すようにビデオ処理回路２１には、色復調回路、輝度調整回路、マトリックス回路、ＲＧＢ切換回路、ドライブ／カットオフ調整回路、同期分離回路が含まれている。２２はＲＧＢ信号をＣＲＴ２５に表示する為のＲＧＢドライブ回路である。２３はブランキング領域やチャンネル番号等のオンスクリーン表示を行う為のオンスクリーン表示信号、オンスクリーン切換信号Ｙｓを作成するオンスクリーン信号作成回路である。２４はオンスクリーン信号作成回路２３及びブランキング信号Ｂｌｋを制御するマイクロコンピュータである。
【００１６】
４：３のアスペクト比のテレビジョン受像機で１６：９の映像信号を表示する場合、オンスクリーン表示信号作成回路２３でブランキングを行いたい領域、つまり図５に示される斜線領域に、オンスクリーン表示を行うのと同様にオンスクリーン切換信号Ｙｓを出力し、マイクロコンピュータ２４にてブランキング信号を有効にすることにより本来オーバースキャンによって表示されない部分にブランキングを行う。
【００１７】
かかる構成によれば、、図５の斜線領域にブランキングをかけた場合において、斜線領域と無画像領域との輝度レベルを同じにすることが出来る。
【００１８】
（実施例２）
さらに、本発明の請求項３および４に示すテレビジョン受信機の一実施例について図面を参照しながら説明する。なお、前述した実施例と同じ構成については同じ符号を用い、説明を省略する。
【００１９】
図１において１３はブランキング領域やチャンネル番号等のオンスクリーン表示を行う為のオンスクリーン表示信号、オンスクリーン切換信号Ｙｓ、文字表示期間信号Ｙｍを作成する、オンスクリーン信号作成回路である。４：３のアスペクト比のテレビジョン受像機で１６：９の映像信号を表示する場合、オンスクリーン表示信号作成回路１３でブランキングを行いたい領域、つまり図５に示される斜線領域に、オンスクリーン表示を行うのと同様にオンスクリーン切換信号Ｙｓを出力し、本来オーバースキャンによって表示されない部分にブランキングを行う。
【００２０】
また、図６に示すようにブランキングと同時にチャンネル番号等のオンスクリーン表示を行う場合、文字領域を示す文字表示期間信号Ｙｍでブランキング信号を無効にすることで、文字表示期間はブランキングを無効にする。
【００２１】
かかる構成によれば、、図６の斜線領域にブランキングをかけた場合において、斜線領域と無画像領域との輝度レベルを同じにする事ができ、且つ、同時にオンスクリーン文字の表示ができる。
【００２２】
【発明の効果】
以上のように本発明のテレビジョン受像機によれば、入力された映像信号とは異なるアスペクト比の画面のテレビジョン受像機で、その映像信号を表示する際に本来であればオーバースキャンにより表示されない部分をブランキングする為のブランキング信号の作成を、殆どのテレビジョン受像機が具備しているオンスクリーン表示回路を利用することで、オンスクリーン表示とブランキング処理が実現可能で、また、回路構成の簡略化が可能になる。
【図面の簡単な説明】
【図１】本発明の実施例１におけるテレビジョン受像機の構成図
【図２】本発明の実施例２におけるテレビジョン受像機の構成図
【図３】従来のテレビジョン受像機の構成図
【図４】従来のテレビジョン受像機の構成図
【図５】ＣＲＴ表示画面を示す図
【図６】ＣＲＴ表示画面を示す図
【符号の説明】
１３  オンスクリーン信号作成回路
１４  マイクロコンピュータ
２１  ビデオ信号処理回路
２２  ＲＧＢドライブ回路
２３  オンスクリーン信号作成回路
２４  マイクロコンピュータ
２５  ＣＲＴ
３１  ビデオ信号処理回路
３２  ＲＧＢドライブ回路
３３  オンスクリーン信号作成回路
３４  マイクロコンピュータ
３５  ＣＲＴ
４４  映像信号処理回路
４７  放送映像信号／オンスクリーン映像信号切換回路
【図１】
0004304738.tif 000002
【図２】
0004304738.tif 000003
【図３】
0004304738.tif 000004
【図４】
0004304738.tif 000005
【図５】
0004304738.tif 000006
【図６】
0004304738.tif 000007